(57)【要約】【課題】使用者が立っている状態だけでなく椅子等に座っている状態でも所望の方向に容易に移動させることができるボードスタンドを提供する。【解決手段】ボードスタンド１６は、床面Ｆ上に配置される脚部１７と、脚部から上方に向かって延びる連結部１８と、表示を行う表示部１１が取付け可能な取付け部２８を有し、板状に形成されて連結部の上端部に設けられた支持部１９と、を備え、支持部には、第１隅部１９ａと、第１隅部よりも下方に配置された第２隅部１９ｂと、が形成され、支持部の第１隅部には、上下方向に沿って延びる第１縦把持部３０ａと、水平面に沿って延びる第１横把持部３２ａと、が互いに隣接して設けられ、支持部の第２隅部には、上下方向に沿って延びる第２縦把持部３０ｂと、水平面に沿って延びる第２横把持部３３ａと、が互いに隣接して設けられている。【選択図】図１
2019083905.tif 000002
【特許請求の範囲】
【請求項１】
床面上に配置される脚部と、
前記脚部から上方に向かって延びる連結部と、
表示を行う表示部が取付け可能な取付け部を有し、板状に形成されて前記連結部の上端部に設けられた支持部と、
を備え、
前記支持部には、第１隅部と、前記第１隅部よりも下方に配置された第２隅部と、が形成され、
前記支持部の前記第１隅部には、上下方向に沿って延びる第１縦把持部と、水平面に沿って延びる第１横把持部と、が互いに隣接して設けられ、
前記支持部の前記第２隅部には、上下方向に沿って延びる第２縦把持部と、水平面に沿って延びる第２横把持部と、が互いに隣接して設けられているボードスタンド。
【請求項２】
前記第１横把持部及び前記第２横把持部は、前記支持部に沿って延びる請求項１に記載のボードスタンド。
【請求項３】
前記第１隅部及び前記第２隅部は、前記支持部における、水平面及び前記支持部にそれぞれ沿う方向の一方側の端部に形成されている請求項１又は２に記載のボードスタンド。
【請求項４】
前記支持部は、環状に形成され、前記取付け部を全周にわたって囲むように配置された把持部材を有し、
前記第１縦把持部、前記第１横把持部、前記第２縦把持部、及び前記第２横把持部は、前記把持部材に形成されている請求項１から３のいずれか一項に記載のボードスタンド。
【請求項５】
前記把持部材は、正面視で矩形状の枠体である請求項４に記載のボードスタンド。
【請求項６】
請求項１から５のいずれか一項に記載のボードスタンドと、
前記表示部と、
を備えるボードスタンドシステム。
【発明の詳細な説明】
【技術分野】
【０００１】
本発明は、ボードスタンド及びボードスタンドシステムに関する。
【背景技術】
【０００２】
従来、上下方向に沿って延びる縦把持部を備えるボードスタンドが知られている（例えば、特許文献１参照）。この種のボードスタンドでは、縦把持部は左右方向の各端部に配置され、使用者は縦把持部を握ってボードスタンドを移動させる。
【先行技術文献】
【特許文献】
【０００３】
【特許文献１】特開２００４−１７５０４４号公報
【発明の概要】
【発明が解決しようとする課題】
【０００４】
しかしながら、特許文献１のボードスタンドでは、縦把持部を握って押したり引いたりして移動させる場合、ボードスタンドを所定の方向に移動させようとしても、ボードスタンドが上下方向に沿う所定の軸周りに回転等してしまう。このため、ボードスタンドを所望の方向に移動させるのは困難である。
さらに、ボードスタンドを使用者が立っている状態だけでなく椅子等に座っている状態でも移動させることが求められている。
【０００５】
本発明は、このような問題点に鑑みてなされたものであって、使用者が立っている状態だけでなく椅子等に座っている状態でも所望の方向に容易に移動させることができるボードスタンド、及びこのボードスタンドを備えるボードスタンドシステムを提供することを目的とする。
【課題を解決するための手段】
【０００６】
上記課題を解決するために、この発明は以下の手段を提案している。
本発明のボードスタンドは、床面上に配置される脚部と、前記脚部から上方に向かって延びる連結部と、表示を行う表示部が取付け可能な取付け部を有し、板状に形成されて前記連結部の上端部に設けられた支持部と、を備え、前記支持部には、第１隅部と、前記第１隅部よりも下方に配置された第２隅部と、が形成され、前記支持部の前記第１隅部には、上下方向に沿って延びる第１縦把持部と、水平面に沿って延びる第１横把持部と、が互いに隣接して設けられ、前記支持部の前記第２隅部には、上下方向に沿って延びる第２縦把持部と、水平面に沿って延びる第２横把持部と、が互いに隣接して設けられていることを特徴としている。ここで言う表示を行うとは、文字や図形等を記載されることにより外部へあらわし示すこと、電子的な方法等により自身が形成した文字や図形等を外部へあらわし示すこと、文字や図形等が記載された被記載物を取り付けることにより被記載物に記載された内容を外部へあらわし示すこと等を意味する。また、上下方向に沿って延びるとは、上下方向に沿って使用者が握れる程度、例えば３ｃｍ以上延びることを意味する。水平面に沿って延びるとは、水平面に沿って使用者が握れる程度、例えば３ｃｍ以上延びることを意味する。
【０００７】
この発明によれば、使用者は一方の手で第１縦把持部を握り、他方の手で水平面に沿って延びる第１横把持部を握って、上下方向に沿う軸周りに回転等してしまうのを抑えてボードスタンドを移動させることができる。この際、第１縦把持部及び第１横把持部が支持部の第１隅部に互いに隣接して設けられているため、第１縦把持部及び第１横把持部を一度に容易に握ってボードスタンドを移動させることができる。
また、使用者が立っているときには上方に配置された第１縦把持部及び第１横把持部を握り、椅子等に座っているときには下方に配置された第２縦把持部及び第２横把持部を握ることにより、使用者が立っている状態だけでなく座っている状態でもボードスタンドを容易に移動させることができる。
【０００８】
また、上記のボードスタンドにおいて、前記第１横把持部及び前記第２横把持部は、前記支持部に沿って延びてもよい。
この発明によれば、第１縦把持部、第１横把持部、第２縦把持部、及び第２横把持部を支持部の厚さ方向に薄くすることができる。
【０００９】
また、上記のボードスタンドにおいて、前記第１隅部及び前記第２隅部は、前記支持部における、水平面及び前記支持部にそれぞれ沿う方向の一方側の端部に形成されていてもよい。
この発明によれば、支持部における、水平面及び支持部にそれぞれ沿う方向の一方側から、使用者が立っている状態だけでなく座っている状態でもボードスタンドを容易に移動させることができる。
【００１０】
また、上記のボードスタンドにおいて、前記支持部は、環状に形成され、前記取付け部を全周にわたって囲むように配置された把持部材を有し、前記第１縦把持部、前記第１横把持部、前記第２縦把持部、及び前記第２横把持部は、前記把持部材に形成されていてもよい。
この発明によれば、第１縦把持部、第１横把持部、第２縦把持部、及び第２横把持部を把持部材として一体に形成してボードスタンドを構成する部品数を少なくし、ボードスタンドの質量を低減させることができる。
【００１１】
また、上記のボードスタンドにおいて、前記把持部材は、正面視で矩形状の枠体であってもよい。
この発明によれば、第１縦把持部、第１横把持部、第２縦把持部、及び第２横把持部として握れる範囲が広くなるため、使用者の体格による影響を抑えて、ボードスタンドを容易に移動させることができる。
【００１２】
また、本発明のボードスタンドシステムは、上記のいずれかに記載のボードスタンドと、前記表示部と、を備えることを特徴としている。
この発明によれば、使用者が立っている状態だけでなく座っている状態でも所望の方向に容易に移動させることができるボードスタンドを用いて、ボードスタンドシステムを構成することができる。
【発明の効果】
【００１３】
本発明のボードスタンド及びボードスタンドシステムによれば、使用者が立っている状態だけでなく椅子等に座っている状態でも所望の方向に容易に移動させることができる。
【図面の簡単な説明】
【００１４】
【図１】本発明の第１実施形態におけるボード材を縦向きに取付けたボードスタンドシステムの正面図である。
【図２】図１中の切断線Ａ−Ａの断面図である。
【図３】ボード材を横向きに取付けた同ボードスタンドシステムの正面図である。
【図４】本発明の第２実施形態におけるボードスタンドシステムの正面図である。
【図５】本発明の第２実施形態の変形例におけるボードスタンドシステムの正面図である。
【発明を実施するための形態】
【００１５】
（第１実施形態）
以下、本発明に係るボードスタンドシステムの第１実施形態を、図１から図３を参照しながら説明する。
図１及び図２に示すように、本実施形態のボードスタンドシステム１は、ボード材（表示部）１１と、本実施形態のボードスタンド１６と、を備えている。
ボード材１１は、平板状に形成され、正面視で上下方向に長い矩形状に形成されている。なお、ボード材の形状は、正面視で矩形状に限定されず、６角形状や、８角形状等の多角形状でもよい。
ボード材１１の各隅部には、ボード材１１を厚さ方向に貫通する貫通孔１２が形成されている。ボード材１１の表示面１３には、使用者が文字や図形等を記載することにより外部へあらわし示す表示を行う。
この使用態様では、ボード材１１は長縁部１１ａが上下方向に沿い、長縁部１１ａよりも長さが短い短縁部１１ｂが左右方向に沿うように配置されている。左右方向は、水平面に沿う方向であり、後述する支持部１９に沿う方向である。ボード材１１はボードスタンド１６に、いわゆる縦向きに取付けられている。
【００１６】
ボードスタンド１６は、脚部１７と、連結部１８と、支持部１９と、を備えている。脚部１７は、連結部材２２と、複数の脚部材２３と、を有している。
各脚部材２３は、棒状に形成されている。複数の脚部材２３は、連結部材２２周りに互いに間隔を空けて配置されている。複数の脚部材２３は、連結部材２２周りに等角度ごとに配置されていることが好ましい。連結部材２２は、複数の脚部材２３の端部同士を互いに接続している。
各脚部材２３のうち、連結部材２２が接続されている端部とは反対側の端部には、キャスタ２４が固定されている。キャスタ２４は、床面Ｆ上に配置される。キャスタ２４は、床面Ｆ上を転動可能なローラ（転動部材）２４ａを有している。
【００１７】
連結部１８は、棒状に形成され、脚部１７の連結部材２２から上方に向かって延びている。
【００１８】
支持部１９は、正面視で矩形の平板状に形成され、連結部１８の上端部に立設されている。支持部１９の厚さ方向は、前後方向である。なお、支持部１９の形状は、正面視で矩形状に限定されず、６角形状や、８角形状等の多角形状でもよく、あるいは円形状や楕円形状等の曲線形状でもよい。支持部１９には、第１隅部１９ａ、第２隅部１９ｂ、第３隅部１９ｃ、及び第４隅部１９ｄの４つの隅部が形成されている。
第２隅部１９ｂは、第１隅部１９ａよりも下方に配置されている。第１隅部１９ａ及び第２隅部１９ｂは、支持部１９の左右方向の一方側（以下、右側と言う）の端部に配置されている。第４隅部１９ｄは、第３隅部１９ｃよりも下方に配置されている。第３隅部１９ｃ及び第４隅部１９ｄは、支持部１９の左右方向の他方側（以下、左側と言う）の端部に配置されている。
【００１９】
支持部１９は、枠体（把持部材）２７と、取付け部２８と、フック（取付け補助部材）２９と、を有している。
枠体２７は、正面視で矩形の枠状（環状）に形成されている。枠体２７は、例えば断面が円形状の鋼管を折り曲げることで形成されている。
枠体２７は、第１縦部材３０と、第２縦部材３１と、第１横部材３２と、第２横部材３３と、連結部材３４と、を有している。縦部材３０，３１は、上下方向に沿って延びるとともに、左右方向に互いに間隔を空けて配置されている。第１縦部材３０は、第２縦部材３１よりも右側に配置されている。横部材３２，３３は、左右方向に沿って延びるとともに、上下方向に互いに間隔を空けて配置されている。第１横部材３２は、第２横部材３３よりも上方に配置されている。
第２横部材３３には、連結部１８の上端部が溶接等により固定されている。
【００２０】
連結部材３４は、湾曲した形状に形成され、第１縦部材３０の上端部と第１横部材３２の右端部との接続等をしている。
床面Ｆから枠体２７の第２横部材３３までの高さは、床面Ｆ上の椅子等に座っている状態の使用者が手で握ることができる高さである、５０ｃｍ以上１００ｃｍ以下であることが好ましい。枠体２７の第２横部材３３から第１横部材３２までの高さは、５０ｃｍ以上８０ｃｍ以下であることが好ましい。
【００２１】
第１縦部材３０の上端部が、第１縦把持部３０ａを構成する。第１横部材３２の右端部が第１横把持部３２ａを構成する。支持部１９には、第１隅部１９ａに第１縦把持部３０ａと第１横把持部３２ａとが互いに隣接して設けられている。
同様に、第１縦部材３０の下端部が、第２縦把持部３０ｂを構成する。第２横部材３３の右端部が、第２横把持部３３ａを構成する。支持部１９には、第２隅部１９ｂに第２縦把持部３０ｂと第２横把持部３３ａとが互いに隣接して設けられている。
【００２２】
第２縦部材３１の上端部が、第３縦把持部３１ａを構成する。第１横部材３２の左端部が、第３横把持部３２ｂを構成する。支持部１９には、第３隅部１９ｃに第３縦把持部３１ａと第３横把持部３２ｂとが互いに隣接して設けられている。
第２縦部材３１の下端部が、第４縦把持部３１ｂを構成する。第２横部材３３の左端部が、第４横把持部３３ｂを構成する。支持部１９には、第４隅部１９ｄに第４縦把持部３１ｂと第４横把持部３３ｂとが互いに隣接して設けられている。
【００２３】
縦把持部３０ａ，３０ｂ，３１ａ，３１ｂは、それぞれ上下方向に沿って延びている。横把持部３２ａ，３２ｂ，３３ａ，３３ｂは、それぞれ左右方向に沿って延びている。縦把持部３０ａ，３０ｂ，３１ａ，３１ｂ、及び横把持部３２ａ，３２ｂ，３３ａ，３３ｂは、枠体２７に形成されている。すなわち、縦把持部３０ａ，３０ｂ，３１ａ，３１ｂ、及び横把持部３２ａ，３２ｂ，３３ａ，３３ｂは、同一面上に形成されている。
枠体２７は、取付け部２８を全周にわたって、上下方向及び左右方向から囲むように配置されている。
【００２４】
取付け部２８は、複数本（本実施形態では４本）の梁材３７を有している。以下では、複数本の梁材３７を区別して言うときには、上方から下方に向かって順に、梁材３７Ａ、梁材３７Ｂ、梁材３７Ｃ、梁材３７Ｄと言う。複数本の梁材３７は、上下方向に互いに間隔を空けて配置されている。梁材３７Ａと第１横部材３２との間には、上下方向に隙間が形成されている。梁材３７Ｄと第２横部材３３との間には、上下方向に隙間が形成されている。
図１及び図２に示すように、梁材３７は、取付け部材３８と、補強部材３９と、を有している。取付け部材３８及び補強部材３９は、左右方向に沿って延びている。
【００２５】
図２に示すように、取付け部材３８は、前方片３８ａと、連結片３８ｂと、後方片３８ｃと、を有している。前方片３８ａ及び後方片３８ｃは、前後方向が厚さ方向となる板状に形成されている。前方片３８ａ及び後方片３８ｃは、前後方向に間隔を空けて配置されている。
前方片３８ａの上端部及び後方片３８ｃの上端部のそれぞれの上下方向の位置は、互いに同程度である。前方片３８ａの下端部及び後方片３８ｃの下端部のそれぞれの上下方向の位置は、互いに同程度である。連結片３８ｂは、前方片３８ａの下端部と後方片３８ｃの下端部とを連結している。
取付け部材３８は、側面視で上方が開口するＵ字状に形成されている。取付け部材３８は、例えば鋼板を折り曲げることにより一体に形成されている。
【００２６】
補強部材３９は、左右方向に直交する断面が矩形状となる角筒状に形成されている。補強部材３９は、例えば鋼管等で形成されている。補強部材３９は、取付け部材３８の連結片３８ｂの下面に溶接等により接合されている。
補強部材３９の前面、及び取付け部材３８の前方片３８ａの前面は、互いに面一である。補強部材３９の後面、及び取付け部材３８の後方片３８ｃの後面は、互いに面一である。
図１に示すように、取付け部２８の各梁材３７は、枠体２７内に配置されている。補強部材３９の左右方向の各端部は、枠体２７の縦部材３０，３１に溶接等により固定されている。
【００２７】
図２に示すように、フック２９は、本体４２と、係合部４３と、を有している。本体４２の下面には、上方に向かって凹んだ溝４２ａが形成されている。溝４２ａは、本体４２を左右方向に貫通している。
溝４２ａ内には、取付け部材３８の前方片３８ａが挿入されている。本体４２のうち、溝４２ａよりも後方の下面は、取付け部材３８の連結片３８ｂの上面に接触している。フック２９の本体４２は、梁材３７の取付け部材３８に対して左右方向にスライド可能である。
この使用態様では、取付け部２８の梁材３７Ａに２つのフック２９が取付けられている（図１参照）。
【００２８】
一方で、梁材３７に対してフック２９を上方に移動させると、フック２９の溝４２ａから梁材３７の前方片３８ａが外れる。こうして、梁材３７からフック２９が取外される。
このように、フック２９は梁材３７に着脱可能である。
【００２９】
係合部４３は、大径部４３ａと、小径部４３ｂと、を有している。大径部４３ａの外径（前後方向に直交する方向の外径）は、小径部４３ｂの外径よりも大きい。大径部４３ａは、小径部４３ｂの前端部に固定されている。小径部４３ｂの外径は、本体４２の上下方向の長さよりも短い。小径部４３ｂの後端部は、本体４２の前面に固定されている。小径部４３ｂの前端部及び後端部の上部には、符号を省略した段部が上下方向に形成されている。
【００３０】
フック２９の大径部４３ａ及び小径部４３ｂは、ボード材１１の貫通孔１２に挿入されている。ボード材１１における貫通孔１２の開口周縁部に係合部４３の段部が前後方向に係止することにより、フック２９にボード材１１が取付けられている。
一方で、フック２９に対してボード材１１を上方に移動させた状態で、フック２９の係合部４３に対してボード材１１を前方に移動させる。すると、係合部４３の段部を乗り越えて、ボード材１１の貫通孔１２からフック２９の係合部４３が外れる。こうして、フック２９からボード材１１が取外される。
このように、取付け部２８の各梁材３７には、フック２９を介してボード材１１が着脱可能である。なお、取付け部２８にフック２９を一体に構成して、取付け部にボード材１１が直接取付け可能となるように構成してもよい。
【００３１】
なお、取付け部２８の梁材３７には、収納箱が取付け可能であってもよい。例えば、収納箱は、フック２９の本体４２と同一の形状を後部に有することにより、梁材３７に取付け可能になる。収納箱内には、ボード材１１に文字や図形等を記載するのに使用するペン等が収容可能である。
【００３２】
次に、以上のように構成されたボードスタンドシステム１の使用方法について説明する。
使用者が立っているときには、例えば使用者は支持部１９の右側から一方の手で第１縦把持部３０ａを握り、他方の手で第１横把持部３２ａを握って、ボードスタンドシステム１を所望の方向に移動させる。一方で、使用者が椅子等に座っているときには、例えば使用者は一方の手で第２縦把持部３０ｂを握り、他方の手で第２横把持部３３ａを握って、ボードスタンドシステム１を所望の方向に移動させる。
ボードスタンド１６が縦把持部３１ａ，３１ｂ及び横把持部３２ｂ，３３ｂを備えるため、支持部１９の右側からだけでなく左側からも縦把持部３１ａ，３１ｂ及び横把持部３２ｂ，３３ｂを握って、ボードスタンドシステム１を移動させることができる。
ボードスタンドシステム１を移動させた後で、例えば収納箱内のペン等を用いて、ボード材１１に文字や図形等を記載する。
【００３３】
なお、本実施形態のボードスタンドシステム１は、ボードスタンド１６からボード材１１を取外した後で、図３に示すようにボードスタンド１６にいわゆる横向きに取付けることができる。この使用態様では、２つのフック２９間の距離が広げられている。ボード材１１は、長縁部１１ａが左右方向に沿い、短縁部１１ｂが上下方向に沿うように配置され、ボード材１１の上端部に位置する２つの貫通孔１２内に、各フック２９の係合部４３が挿入されている。
【００３４】
以上説明したように、本実施形態のボードスタンド１６によれば、使用者は一方の手で第１縦把持部３０ａを握り、他方の手で左右方向に延びる第１横把持部３２ａを握って、上下方向に沿う軸周りに回転等してしまうのを抑えてボードスタンド１６を移動させることができる。この際、第１縦把持部３０ａ及び第１横把持部３２ａが支持部１９の第１隅部１９ａに互いに隣接して設けられているため、第１縦把持部３０ａ及び第１横把持部３２ａを一度に容易に握ってボードスタンド１６を移動させることができる。
また、使用者が立っているときには上方に配置された第１縦把持部３０ａ及び第１横把持部３２ａを握り、椅子等に座っているときには下方に配置された第２縦把持部３０ｂ及び第２横把持部３３ａを握ることにより、使用者が立っている状態だけでなく椅子等に座っている状態でもボードスタンド１６を移動させることができる。
【００３５】
横把持部３２ａ，３３ａは、それぞれ左右方向に沿って延びている。このため、縦把持部３０ａ，３０ｂ及び横把持部３２ａ，３３ａを前後方向に薄くすることができる。
第１隅部１９ａ及び第２隅部１９ｂは、支持部１９の右端部に形成されている。このため、支持部１９の右側から、使用者が立っている状態だけでなく椅子等に座っている状態でもボードスタンド１６を容易に移動させることができる。
【００３６】
支持部１９は枠体２７を有し、縦把持部３０ａ，３０ｂ及び横把持部３２ａ，３３ａは枠体２７に形成されている。従って、縦把持部３０ａ，３０ｂ及び横把持部３２ａ，３３ａを枠体２７として一体に形成してボードスタンド１６を構成する部品数を少なくし、ボードスタンド１６の質量を低減させることができる。
縦把持部３０ａ，３０ｂ及び横把持部３２ａ，３３ａを形成する把持部材は、正面視で矩形状の枠体２７である。縦把持部３０ａ，３０ｂ及び横把持部３２ａ，３３ａとして握れる範囲が広くなるため、使用者の体格による影響を抑えて、ボードスタンド１６を容易に移動させることができる。
【００３７】
また、本実施形態のボードスタンドシステム１によれば、使用者が立っている状態だけでなく椅子等に座っている状態でも所望の方向に容易に移動させることができるボードスタンド１６を用いて、ボードスタンドシステム１を構成することができる。
【００３８】
（第２実施形態）
次に、本発明の第２実施形態について図４及び図５を参照しながら説明するが、前記実施形態と同一の部位には同一の符号を付してその説明は省略し、異なる点についてのみ説明する。
図４に示すように、本実施形態のボードスタンドシステム２は、ボード材５１と、本実施形態のボードスタンド５６と、を備えている。
ボード材５１は、平板状に形成され、正面視で矩形状に形成されている。
【００３９】
ボードスタンド５６は、第１実施形態のボードスタンド１６の支持部１９に代えて、支持部５７を備えている。
支持部５７は、平板状に形成され、正面視で矩形状に形成されている。支持部５７は、縦縁部５７ａ，５７ｂが上下方向に沿い、横縁部５７ｃ，５７ｄが左右方向に沿うように配置されている。縦縁部５７ａは、縦縁部５７ｂよりも右側に配置されている。横縁部５７ｃは、横縁部５７ｄよりも上方に配置されている。
【００４０】
支持部５７の縦縁部５７ａにおける上端部には、第１縦ハンドル５９が固定されている。第１縦ハンドル５９は線状に形成され、長手方向の両端部が支持部５７の縦縁部５７ａにそれぞれ固定され、長手方向の中央部が支持部５７から右側に離間した状態で上下方向に沿って延びている。この第１縦ハンドル５９の長手方向の中央部が、第１縦把持部５９ａを構成する。
支持部５７の横縁部５７ｃにおける右端部には、第１横ハンドル６０が固定されている。第１横ハンドル６０は線状に形成され、長手方向の両端部が支持部５７の横縁部５７ｃにそれぞれ固定され、長手方向の中央部が支持部５７から上方に離間した状態で左右方向に沿って延びている。この第１横ハンドル６０の長手方向の中央部が、第１横把持部６０ａを構成する。
第１縦把持部５９ａ及び第１横把持部６０ａは、支持部５７の上方かつ右側の隅部である第１隅部５７ｅに互いに隣接して設けられている。
【００４１】
支持部５７の縦縁部５７ａにおける下端部には、第２縦ハンドル６１が固定されている。第２縦ハンドル６１は線状に形成され、長手方向の両端部が支持部５７の縦縁部５７ａにそれぞれ固定され、長手方向の中央部が支持部５７から右側に離間した状態で上下方向に沿って延びている。この第２縦ハンドル６１の長手方向の中央部が、第２縦把持部６１ａを構成する。
支持部５７の横縁部５７ｄにおける右端部には、第２横ハンドル６２が固定されている。第２横ハンドル６２は線状に形成され、長手方向の両端部が支持部５７の横縁部５７ｄにそれぞれ固定され、長手方向の中央部が支持部５７から下方に離間した状態で左右方向に沿って延びている。この第２横ハンドル６２の長手方向の中央部が、第２横把持部６２ａを構成する。
第２縦把持部６１ａ及び第２横把持部６２ａは、支持部５７の下方かつ右側の隅部である第２隅部５７ｆに互いに隣接して設けられている。
【００４２】
同様に、支持部５７の上方かつ左側の隅部である第３隅部５７ｇに、第３縦ハンドル６３の第３縦把持部６３ａ、及び第３横ハンドル６４の第３横把持部６４ａが、互いに隣接して設けられている。支持部５７の下方かつ左側の隅部である第４隅部５７ｈに、第４縦ハンドル６５の第４縦把持部６５ａ、及び第４横ハンドル６６の第４横把持部６６ａが互いに隣接して設けられている。
【００４３】
支持部５７は、連結部１８の上端部に固定されている。
支持部５７に対してボード材５１は、ネジ等の締結部材により固定されていてもよいし、凹凸嵌合等により着脱可能になっていてもよい。
このように構成された、本実施形態のボードスタンド５６によれば、使用者が立っている状態だけでなく椅子等に座っている状態でも所望の方向に容易に移動させることができる。
なお、ボードスタンド５６は、縦ハンドル６３，６５及び横ハンドル６４，６６を備えなくてもよい。
【００４４】
図５に示す変形例のボードスタンドシステム３のように、本実施形態のボードスタンドシステム２のボードスタンド５６に代えて、ボードスタンド７１を備えてもよい。
ボードスタンド７１の支持部５７には、ボードスタンド５６の縦ハンドル５９，６１，６３，６５、及び横ハンドル６０，６２，６４，６６に代えて、隅ハンドル７３，７４，７５，７６が設けられている。隅ハンドル７３，７４，７５，７６は、中心角が約２７０°の円弧状に形成されている。
【００４５】
隅ハンドル７３のうち、一方の端部は、支持部５７の縦縁部５７ａにおける上端部に固定され、他方の端部は、横縁部５７ｃにおける右端部に固定されている。隅ハンドル７３のうち、上下方向に沿って延びている部分が第１縦把持部７３ａを構成し、左右方向に沿って延びている部分が第１横把持部７３ｂを構成する。
隅ハンドル７４のうち、一方の端部は、支持部５７の縦縁部５７ａにおける下端部に固定され、他方の端部は、横縁部５７ｄにおける右端部に固定されている。隅ハンドル７４のうち、上下方向に沿って延びている部分が第２縦把持部７４ａを構成し、左右方向に沿って延びている部分が第２横把持部７４ｂを構成する。
【００４６】
同様に、隅ハンドル７５に第３縦把持部７５ａ及び第３横把持部７５ｂが形成され、隅ハンドル７６に第４縦把持部７６ａ及び第４横把持部７６ｂが形成される。
このように構成された、本変形例のボードスタンド７１によっても、上記実施形態のボードスタンド５６と同様の効果を奏することができる。
【００４７】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態では、第１縦把持部３０ａ及び第１横把持部３２ａを、支持部１９の上方かつ右側の第１隅部１９ａに設けるとともに、第２縦把持部及び第２横把持部を、支持部１９の下方かつ左側の隅部に設けてもよい。第２実施形態についても同様である。
【００４８】
水平面に沿う一方側が右側であり、水平面に沿う他方側が左側であるとした。しかし、水平面に沿う一方側が左側であり、水平面に沿う他方側が右側であるとしてもよい。水平面に沿う方向は左右方向であるとしたが、水平面に沿う方向は前後方向等でもよい。
表示部はボード材１１であるとした。しかし、表示部はこれに限定されず、ピンナップボード、液晶パネル、タッチパネル等でもよい。表示部が液晶パネル及びタッチパネル等の場合には、表示部は、電子的な方法等により自身が形成した文字や図形等を外部へあらわし示すことにより表示を行う。
【符号の説明】
【００４９】
１，２，３  ボードスタンドシステム
１１，５１  ボード材（表示部）
１６，５６，７１  ボードスタンド
１７  脚部
１８  連結部
１９，５７  支持部
１９ａ，５７ｅ  第１隅部
１９ｂ，５７ｆ  第２隅部
２７  枠体（把持部材）
２８  取付け部
３０ａ，５９ａ，７３ａ  第１縦把持部
３０ｂ，６１ａ，７４ａ  第２縦把持部
３２ａ，６０ａ，７３ｂ  第１横把持部
３３ａ，６２ａ，７４ｂ  第２横把持部
Ｆ    床面
【図１】
2019083905.tif 000003
【図２】
2019083905.tif 000004
【図３】
2019083905.tif 000005
【図４】
2019083905.tif 000006
【図５】
2019083905.tif 000007